(57)【要約】【課題】画像形成装置上部の自動原稿送り装置（ＡＤＦ）の原稿載置ガラス上の開閉作動を容易に行えるようにする。【解決手段】装置本体Ａの内部に歯車Ｇ３の回転により上下動する押し上げ部材３２と前記の歯車Ｇ３に対し、歯車Ｇ１、Ｇ２と電磁クラッチＣを介して動力伝達するモータＭを設置し、スイッチＳＷの押圧毎に前記のモータＭの回動を正あるいは逆方向に切替えて前記の歯車Ｇ３を時計あるいは反時計方向に回転して前記の押し上げ部材３２を上下動し、それによってＡＤＦが自重により押し上げ部材３２上端のローラ３３に追従して上下動すなわち開閉作動されるよう構成する。【選択図】　　　　図２
2004020804.tif 000002
【特許請求の範囲】
【請求項１】
セットされた原稿を自動的に読み込む自動原稿送り装置と、該自動原稿送り装置で読み込んだ原稿を複写する画像形成装置において、
前記自動原稿送り装置は画像形成装置に対して回動自在に設置され、前記自動原稿送り装置を回動させる原稿送り装置回動手段を前記画像形成装置本体側に有することを特徴とする画像形成装置。
【請求項２】
前記原稿送り装置回動手段は、上下移動し前記自動原稿送り装置を押し上げる動作を行う押し上げ部材を設けたことを特徴とする請求項１記載の画像形成装置。
【請求項３】
前記原稿送り装置回動手段は、前記自動原稿送り装置の回動軸の回転動作を用いて行われることを特徴とする請求項１記載の画像形成装置。
【請求項４】
原稿装置ガラスを有する装置本体上面に開閉可能とした原稿押さえ部材を有する画像形成装置において、
前記装置本体上面には前記原稿載置ガラスの側端に沿って原稿載置位置を指示する原稿指標板が設けられており、
前記原稿押さえ部材の前記原稿指標板に対向した位置の近傍には反射鏡を設けたことを特徴とする画像形成装置。
【請求項５】
装置本体上面に位置して開閉可能とした自動原稿送り装置を有する画像形成装置において、
前記装置本体上面には原稿載置ガラスと該原稿載置ガラスの側端に沿って原稿載置位置を指示する原稿指標板が設けられており、
前記装置本体上面に対向した前記自動原稿送り装置には原稿押さえ部材と前記原稿指標板に対向した位置の近傍には反射鏡を設けたことを特徴とする画像形成装置。
【請求項６】
前記原稿指標板の表示は正像表示に加えて鏡像表示がなされていることを特徴とする請求項４又は５に記載の画像形成装置。
【発明の詳細な説明】
【０００１】
【発明の属する技術分野】
本発明は、自動原稿送り装置あるいは原稿押さえ部材により原稿を原稿載置ガラス上の露光位置に設定し保持して画像読み取りを行う複写機等の画像形成装置に関する。
【０００２】
【従来の技術】
一般に自動原稿送り装置は画像形成装置上面の原稿載置ガラスに面して蝶番等により開閉自在に支持されていて、原稿の枚数が多い場合には原稿載置ガラスを閉止した状態に置かれてその自動送り機能の作動により原稿は１枚ずつ順次露光位置に給送され、また枚数が少ない場合又は綴じられた原稿の場合には自動原稿送り装置はプラテンカバーとして使用されて原稿は手作業により露光位置にセットし保持される。
【０００３】
従って自動原稿送り装置は原稿枚数の少ない時や綴じられた原稿の時には通常のプラテンカバーと同様に手動操作により原稿載置ガラス上に開閉作動され、さらに目視によって原稿の露光位置の確認と設定、保持が行われている。
【０００４】
【発明が解決しようとする課題】
しかし周知の如く自動原稿送り装置は構造上可成りの重量がありしかもコンソール型の画像形成装置にあっては自動原稿送り装置は床上の比較的高い位置にあることから、女性や小人特に車椅子を使用する障害者にとっては手動による自動原稿送り装置の開閉操作は困難であり、また視線の高さが低いので露光位置や原稿の設定状況を確認することも出来ないと云う難点があった。
【０００５】
本発明はこれ等の点を解決して改良した結果、自動原稿送り装置を労力を要せず極めて容易に開閉可能とすると共に原稿の原稿載置ガラス上での設置位置、状態を目視により容易に確認することの出来る画像形成装置の提供を目的としたものである。
【０００６】
【課題を解決するための手段】
上記目的は、
セットされた原稿を自動的に読み込む自動原稿送り装置と、該自動原稿送り装置で読み込んだ原稿を複写する画像形成装置において、前記自動原稿送り装置は画像形成装置に対して回動自在に設置され、前記自動原稿送り装置を回動させる原稿送り装置回動手段を前記画像形成装置本体側に有することを特徴とする画像形成装置（請求項１に係わる発明）、および
原稿装置ガラスを有する装置本体上面に開閉可能とした原稿押さえ部材を有する画像形成装置において、前記装置本体上面には前記原稿載置ガラスの側端に沿って原稿載置位置を指示する原稿指標板が設けられており、前記原稿押さえ部材の前記原稿指標板に対向した位置の近傍には反射鏡を設けたことを特徴とする画像形成装置（請求項４に係わる発明）、および
装置本体上面に位置して開閉可能とした自動原稿送り装置を有する画像形成装置において、前記装置本体上面には原稿載置ガラスと該原稿載置ガラスの側端に沿って原稿載置位置を指示する原稿指標板が設けられており、前記装置本体上面に対向した前記自動原稿送り装置には原稿押さえ部材と前記原稿指標板に対向した位置の近傍には反射鏡を設けたことを特徴とする画像形成装置（請求項５に係わる発明）
によって達成される。
【０００７】
【発明の実施の形態】
各発明の実施例の説明に先立って対象とする画像形成装置における原稿のセット方法を図１によって説明する。
【０００８】
図１に示すのは、原稿のセット手段として自動原稿送り装置ＡＤＦを備える画像形成装置の正面外形図である。前記の自動原稿送り装置ＡＤＦはユニット化されて装置本体Ａの上面に一対の回動軸ｈを介して開閉可能に支持されていて、閉止状態においては自動送り機能が作動して原稿載置トレイ上にセットされた複数の原稿は搬送ドラム１１の回転作動により装置本体Ａのスリット読み取り用ガラス２１上に１枚ずつ給紙されて停止状態の光学系により移動搬送される原稿画像の読み取りが行われ、読み取り後には再び自動原稿送り装置ＡＤＦの排紙部に順次回収される。
【０００９】
また前記の自動原稿送り装置ＡＤＦは原稿押え部材１２も備えていて、手動の開閉操作により原稿を１枚ずつ原稿載置ガラス２１上にセットしかつ挟着するプラテンカバーとして使用することも可能であって、この場合には前記の光学系が移動して走査露光方式により原稿載置ガラス２１上に載置された原稿画像の読み取りが行われる。
【００１０】
（実施の形態１）
請求項１に係わる発明の実施例を図２および図３によって説明する。
【００１１】
本実施例の画像形成装置は自動原稿送り装置ＡＤＦの開閉を行うのに装置本体Ａ側壁の内外にわたり原稿送り装置回動手段３０を併設していて、自動原稿送り装置ＡＤＦは内部のモータの動力あるいは外部のハンドル操作の何れの手段によっても原稿載置ガラス２１上に開閉することが可能の構成となっている。
【００１２】
前記の装置本体Ａは図２に示す如く側壁内面近くには、上下一対の案内部材３１により垂直方向に移動自在に支持された押し上げ部材３２を設けていて、その上端に設けたローラ３３が自動原稿送り装置ＡＤＦ側に設けた受け部材３４に当接して自動原稿送り装置ＡＤＦを支えている。
【００１３】
前記押し上げ部材３２は、装置本体Ａの内蔵するモータＭの動力が歯車Ｇ１、Ｇ２および電磁クラッチＣを介して伝達されるかあるいは装置本体Ａ外側のハンドルＨが回動されることによって歯車Ｇ３が回転して歯合する押し上げ部材３２に設けたラックＲにより上方もしくは下方へと移動され、その結果自動原稿送り装置ＡＤＦはその自重により当接状態にある押し上げ部材３２のローラ３３の転動に追従して上下動すなわち開閉作動される。
【００１４】
図３は前記の原稿送り装置回動手段３０の構成を示した平面図であって先の図２と共にその機能について説明する。
【００１５】
装置本体Ａは前面の操作パネルに自動原稿送り装置ＡＤＦの自動開閉用のスイッチＳＷを備えていて、スイッチＳＷが押圧されると前記の電磁クラッチＣがＯＮとなると同時に、自動原稿送り装置ＡＤＦが閉止位置にある場合には前記のモータＭは正回転を開始して歯車Ｇ３が反時計方向に回転し、前記の押し上げ部材３２はラックＲに噛合する歯車Ｇ３の回転により上方に移動を開始し、押し上げ部材３２と一体の検出部３２Ａを検知する光センサＳ１の信号により電磁クラッチＣがＯＦＦに切替りモータＭの正回転が停止して自動原稿送り装置ＡＤＦは図２に示すように開放位置に停止して保持される。
【００１６】
かかる状態では労することなく原稿載置ガラス２１上に原稿をセットすることが可能である。
【００１７】
また前記のスイッチＳＷは自動原稿送り装置ＡＤＦが開放位置にある状態で押圧されると電磁クラッチＣのＯＮと同時にモータＭは逆回転を開始して歯車Ｇ３が時計方向に回転し、前記の押し上げ部材３２は下方に移動して前記の検出部３２Ａを検知する光センサＳ２の信号により電磁クラッチＣがＯＦＦに切替りモータＭの逆回転が停止して自動原稿送り装置ＡＤＦは図３に示す開放位置より装置本体Ａの上面を閉止する位置に回動して停止し原稿は原稿読み取り可能の状態に保持される。
【００１８】
一方前記のハンドルＨは、同軸一体とする装置本体Ａ内部の係合軸４０に前記の歯車Ｇ３の延長軸上の係合ピンＰに対応する切込み部４０Ａを設けていて、装置内に設けた支持板４１と支持筒４２に回動自在に支持され、圧縮バネ４３により常時装置本体Ａより突出する方向に付勢されている。従って前記の係合軸４０は前記の係合ピンＰより軸方向に退避されていて、その結果前述したモータＭの回転による自動原稿送り装置ＡＤＦの開閉は前記のハンドルＨに干渉せず支障なく作動されることとなる。図３（ａ）はハンドルＨの駆動系との係合が解除された状態を示している。
【００１９】
前記のハンドルＨは軸方向に押し込みつつ若干回動すると係合軸４０の切込み部４０Ａが前記の係合ピンＰに係合してハンドルＨは歯車Ｇ３と一体となってその回転が歯車Ｇ３に伝達される。図３（ｂ）はハンドルＨが駆動系と係合状態にあることを示している。従ってハンドルＨはその回転方向により前記の押し上げ部材３２を上方あるいは下方に向け任意に移動して自動原稿送り装置ＡＤＦを自由に開閉することが可能となる。なおハンドルＨの操作による開閉位置は前記の押し上げ部材３２に設けた上下のストップピンＰ１およびＰ２が押し上げ部材３２の各案内部材３１にそれぞれ突き当って停止することによって設定される。なお閉位置におけるストップピンＰ２は省略してもよい。
【００２０】
上記に説明した自動原稿送り装置ＡＤＦを開閉する技術手段は、モータＭによる方法とハンドルＨによる方法とを選択的に用いて開閉するようにしたものであるが、その何れかを省略して構成を簡単とし、自動原稿送り装置ＡＤＦの開閉を行い得る構成とすることも可能である。
【００２１】
（実施の形態２および３）
請求項４および５に係わる各発明のそれぞれの実施例を図４および図５に、また共通する実施例を図６によって説明する。
【００２２】
図４に示す画像形成装置は原稿を手動操作で原稿載置ガラス２１の露光位置にセットし、かつプラテンカバー５０の原稿押え部材５１の閉止により原稿を保持する形式の画像形成装置であり、また図５に示す画像形成装置は自動原稿送り装置ＡＤＦを自動あるいは手動をもって開閉可能とし、手動操作により露光位置にセットした原稿を自動原稿送り装置ＡＤＦの原稿押え部材１２を利用して露光位置に保持する形式の画像形成装置である。
【００２３】
前記の各画像形成装置はそれぞれの原稿載置ガラス２１の側端に載置する原稿の各サイズを表示した原稿指標板２２を備えていて、原稿はそれぞれのサイズに応じて前述の原稿指標板２２の示す指標に合わせてセットすることにより所定の露光位置に設定される。
【００２４】
前記の原稿指標板２２は図６に示す如く原稿の大きさに相当するＡ列、Ｂ列の各サイズの記号を正像をもって表示した通常の指標列２２Ａと鏡像をもって表示した独自の指標列２２Ｂが並列して表示されている。
【００２５】
一方前記のプラテンカバー５０および自動原稿送り装置ＡＤＦのそれぞれの原稿押え部材５１および１２には、前記の原稿指標板２２に対向するそれぞれの位置に反射鏡Ｋが設置されている。
【００２６】
前記の各反射鏡Ｋはユーザの一般的な本体前面の車椅子上の姿勢位置から原稿指標板２２の全域を容易に視認出来る大きさと形状のものであり原稿の載置位置を上方から観察することなしに前方から特定して取り付けられる。
【００２７】
なお前記の指標列２２Ｂは視距離が長くなることから直視出来る指標列２２Ａより若干大きく表示されるのが望ましくさらには色を変えて識別をより容易にすることも出来る。
【００２８】
【発明の効果】
本発明により、画像形成装置上部に位置する自動原稿送り装置が装置本体に対し自動的もしくは僅かな労力の手動操作をもって容易かつ安全に開閉されることとなり、さらに低い姿勢からの原稿載置台上露光位置に対する原稿のセットも目視により確認することが可能となり、その結果女性や小人また車椅子の身体障害者にとっても使用し易い実用上極めて有用な画像形成装置が提供されることとなった。
【図面の簡単な説明】
【図１】開閉可能のＡＤＦを備える画像形成装置の正面外形図。
【図２】ＡＤＦの開閉を行う回動手段を備えた画像形成装置を示す斜視図。
【図３】回動手段の構成と作動を示す平面図。
【図４】プラテンカバーを有する画像形成装置の要部外形図。
【図５】自動原稿送り装置を有する画像形成装置の要部外形図。
【図６】原稿載置ガラスに設けられる原稿指標板の平面図。
【符号の説明】
Ａ　装置本体
ＡＤＦ　自動原稿送り装置
３１　案内部材
３２　押し上げ部材
３３　ローラ
Ｓ１、Ｓ２　光センサ
Ｐ１、Ｐ２　ストップピン
Ｍ　モータ
Ｇ１、Ｇ２、Ｇ３　歯車
Ｈ　ハンドル
【図１】
2004020804.tif 000003
【図２】
2004020804.tif 000004
【図３】
2004020804.tif 000005
【図４】
2004020804.tif 000006
【図５】
2004020804.tif 000007
【図６】
2004020804.tif 000008